(57)【要約】      （修正有）【課題】カスタマイズ機能を備えた販売機を提供する。【解決手段】複数の商品が保存される複数の第一槽が設置される本体１２と、本体に設置されており、少なくとも一種類の商品を購入しまた複製内容を入力するように消費者に提供するタッチパネル１４と、消費者が購入しようとする商品及び入力した複製内容を受信して処理を行なう処理装置と、本体に設置されており、且つ処理装置に電気的に接続されており、消費者が入力した複製内容により購入しようとする紡織商品２４に複製内容を刺繍する機能を有する刺繍機能付き複製装置２６または/及び皮革商品に複製内容を烙印する機能を有する烙印機能付き複製装置であって、複製が完成された後、処理装置でコンベヤーベルト２８が駆動され、それにより商品を消費者が受け取るように出口まで搬送する。【選択図】図２
0003226554.tif 000002
【実用新案登録請求の範囲】
【請求項１】
その内に複数の第一槽が設置されており、複数の第一槽にそれぞれ複数の商品が保存されており、当該商品は紡織商品または/及び皮革商品である本体と、
当該本体の表面に設置され、それにより消費者が少なくとも一種類の商品を購入しまた複製内容を入力するタッチパネルと、
当該消費者が購入しようとする当該商品及び入力した当該複製内容を受信して処理を行なう処理装置と、
当該本体の内部に設置され且つ当該処理装置に電気的に接続され、当該複製装置は刺繍機能付き複製装置または/及び烙印機能付き複製装置であり、当該消費者が入力した当該複製内容により購入しようとする当該商品に複製を行い、当該刺繍機能付き複製装置は紡織商品である商品に複製内容を刺?するように提供し、当該烙印機能付き複製装置は皮革商品である商品に複製内容を烙印するように提供する複製装置と、 
本体の内部に設置されており、且つ処理装置に電気的に接続されており、当該消費者が購入しようとする当該商品を複製装置に搬送し、複製が完了した後、当該処理装置で当該コンベヤーベルトを駆動し、それにより当該商品を当該消費者が受け取るように出口まで搬送する、少なくとも一コンベヤーベルトと、を含むことを特徴とするカスタマイズ機能を備えた販売機。
【請求項２】
当該本体の表面にさらに透明窓が設置され、それにより当該複製装置が購入しようとする当該商品を複製する過程が表示されることを特徴とする請求項1に記載のカスタマイズ機能を備えた販売機。
【請求項３】
当該複製内容は手書きでパネルに触り、文字または図案を入力することを特徴とする請求項1に記載のカスタマイズ機能を備えた販売機。
【請求項４】
当該複製内容が文字である場合は、当該処理装置は当該文字を少なくとも一種類のほかの国の言語に転換することを特徴とする請求項1に記載のカスタマイズ機能を備えた販売機。
【請求項５】
当該本体にさらに少なくとも一つの第二槽が含まれており、それにより複数の収納物品及び少なくとも一つのトレイが置かれることを特徴とする請求項1に記載のカスタマイズ機能を備えた販売機。
【請求項６】
当該第二槽は少なくとも一つのコンベヤーベルトの支線と接続され、それにより当該収納物品及び当該トレイが当該コンベヤーベルトに搬送され、且つ当該収納物品及び複製完了の当該商品が当該トレイに置かれ、当該取り出し口に搬送されることを特徴とする請求項5に記載のカスタマイズ機能を備えた販売機。
【請求項７】
当該本体の外に硬貨投入口が設置され、それにより紙幣または硬貨が投入されることを特徴とする請求項1に記載のカスタマイズ機能を備えた販売機。
【請求項８】
当該本体の外にさらにバーコード画像が含まれており、それにより当該消費者がスマートフォンを利用してそれを読み取った後、当該スマートフォンに手書きで当該複製内容を入力し、インターネットにおいて当該カスタマイズ機能を備えた販売機の一メーカーに当該複製内容を持つ当該商品を注文することを特徴とする請求項1に記載のカスタマイズ機能を備えた販売機。
【請求項９】
当該バーコード画像は一次元バーコード、二次元バーコードであり、速くバーコード（Quick Response code）または図形化バーコードを読み取ることを特徴とする請求項8に記載のカスタマイズ機能を備えた販売機。
【請求項１０】
当該複製内容は手書きで自由に絵を描きまたは/及び手書きで文字を書くことを特徴とする請求項1に記載のカスタマイズ機能を備えた販売機。
【考案の詳細な説明】
【技術分野】
【０００１】
本考案は販売機に関するものであって、特に消費者が選択した異なる商品品目、材質及びカスタマイズされた複製内容を複製装置に入力し、また複製内容を商品に複製することによりカスタマイズ機能を備えた販売機に関する。
【背景技術】
【０００２】
従来の販売機は飲料、おやつなどの食べ物を販売するものであって、一部の有名な観光名所には記念品店を除き、記念品を販売する自動販売機が設置されており、例えばキーホルダー、記念貨幣などが販売され、それにより消費者は商店内で人混みのなかでも記念品を購入することができるが、ただしこれらの記念品の大部分はいずれも行ったことがある場所だけを記念することができ、行ったことがある観光客であればそれを購入することができ、記念の意味を持つようになるが、ユニークではない。
【０００３】
現在、市場ではカメラ付販売機があるが、消費者の写真を撮影した後、刃物による彫刻またはレーザーエッチングの方法で記念品に消費者の頭部写真が形成されるが、ただし光線、カメラの画素、消費者の動き如何により撮影の品質に影響し、さらに彫刻図案の歪みをもたらし、またすべての人は記念品に個人の頭部写真があることを好むわけではなく、また従来品は材質や品目が柔らかい紡織商品（例えば：布）、または材質や品目が堅い皮革商品（例えば：レザーアクセサリー）に適用することができず、さらに刺?または烙印により図案を商品に複製することもできず、また従来品の商品における複製された図案はいずれもパターン化また標準化されており、消費者の好みにより選択または考案することができず、それはカスタマイズすることができずまたカスタマイズ図案を商品に複製することもできないため、実用性が低く、それは業者及び消費者にとって改善してほしいところである。
【考案の概要】
【考案が解決しようとする課題】
【０００４】
上記のような既存技術の問題点を解決するため、本考案の主な目的は、カスタマイズ機能を備えた販売機を提供することであって、それは販売機の本体に処理装置及び複製装置を設置し、消費者が入力した複製内容を受信した後に、処理装置により複製装置に送信すると同時に、消費者が選択した商品を複製装置に搬送するようにコンベヤーベルトをコマンドし、それにより当該商品に消費者が入力した複製内容を複製する。
【０００５】
本考案のもう一つの目的は、カスタマイズ機能を備えた販売機を提供することであって、処理装置により複製内容に対して処理を行ない、文字の内容に対して中国語または英語またはその他の言語に翻訳し、それにより複製装置は同時に二種類以上の言語の複製内容を商品に複製することができる。
【０００６】
本考案のさらなる目的は、カスタマイズ機能を備えた販売機を提供することであって、複製内容は消費者が手書きで入力し、制限を受けないように複製内容の多様性を高める。
本考案のもう一つの目的は、カスタマイズ機能を備えた販売機を提供することであって、複製装置は刺繍機能付き複製装置または/及び烙印機能付き複製装置である。
【０００７】
本考案のさらなる目的は、カスタマイズ機能を備えた販売機提供することであって、商品は紡織商品または/及び皮革商品、また複製装置によりカスタマイズされた刺?または/及びカスタマイズされた烙印を達成させる複製内容を複製する。
【０００８】
本考案において解決しようとする問題は、一般的には従来の販売機はいずれも飲料、おやつなどの食べ物を販売し、一部の有名な観光名所において記念品商店を除き、記念品販売機、例えばキーホルダー、記念貨幣などが販売され、それにより消費者は商店内で人混みのなかでも記念品を購入することができるが、ただしこれらの記念品の大部分はいずれも行ったことがある場所だけを記念することができ、行ったことがある観光客であればそれを購入することができ、記念の意味を持つようになるが、ユニークではない；カメラ付販売機であるが、ただし光線、カメラの画素、消費者の動き如何により撮影の品質に影響し、さらに彫刻図案の歪みをもたらし、またすべての人は記念品に個人の頭部写真があることを好むわけではなく、また従来品は材質や品目が柔らかい紡織商品、または材質や品目が堅い皮革商品に適用することができず、さらに刺?または烙印により図案を商品に複製することもできず、また従来品の商品に複製された図案はいずれもパターン化また標準化されおり、消費者の好みにより選択または考案することができず、それによりカスタマイズすることができずまたカスタマイズ図案を商品に複製することもできないため、実用性が低くなる。
【０００９】
問題を改善する技術手段としては、前記目的を達成するため、本考案はカスタマイズ機能を備えた販売機を提供することであり、それには：
それぞれ複数の商品が保存される複数の第一槽が設置される本体と、
本体の表面に設置されており、消費者がタッチパネルに少なくとも一種類の商品を選択しまた複製内容を入力するタッチパネルと、
が含まれている。
【００１０】
本体には一つの処理装置、少なくとも一つの複製装置及び少なくとも一つのコンベヤーベルトが設置されており、処理装置は消費者が購入しようとする商品及び入力した複製内容を受信しまた処理を行ない、処理した後の複製内容を複製装置に送信し、入力した商品に消費者が入力した複製内容を複製する；コンベヤーベルトは消費者が購入しようとする商品を複製装置に搬送し、複製を完成させた後、処理装置によりコンベヤーベルトを駆動することにより消費者が受け取るように商品を出口まで搬送し、それは進歩性、実用性と使用者のニーズに合致し、それは従来のものより優れているところである。
【図面の簡単な説明】
【００１１】
【図１】本考案のカスタマイズ機能を備えた販売機の外観の実施例の立体図である。
【図２】本考案のカスタマイズ機能を備えた販売機内部の実施例の模式図である。
【図３】本考案のカスタマイズ機能を備えた販売機において複製過程また出口から商品を取得した過程が見られる模式図である。
【図４】本考案において消費者が手書きで英語の複製内容を入力した後に処理装置により中国語に翻訳した模式図である。
【図５】本考案のカスタマイズ機能を備えた販売機の内部におけるもう一つの実施例の模式図である。
【図６】本考案のカスタマイズ機能を備えた販売機において複製過程また出口から商品を取得した過程が見られるもう一つの実施例の模式図である。
【図７】本考案において消費者が手でタッチパネルに入力し自由に絵を描きまたは/及び文字を書く実施例の模式図である。
【考案を実施するための形態】
【００１２】
本考案について添付図に合わせて、また実施例の表現形式で下記のように詳細に説明し、説明書において使用する図面は、その主旨は説明書を模式的かつ補足的に使用し、必ずしも本考案を実施した後の実際の比例関係と精度で配置するのではないので、添付する図式の比例と配置関係により本考案における実際の実施において特許請求の範囲を制限すべきではなく、合わせて説明する。
【００１３】
図1、図2、図3、図4及び図5、図6及び図7に示されているのは、それぞれ本考案のカスタマイズ機能を備えた販売機の外観の実施例の立体図、本考案のカスタマイズ機能を備えた販売機内部の実施例の模式図、本考案のスタマイズ機能を備えた販売機において複製過程また出口から商品を取得した過程が見られる模式図、本考案において消費者が手書きで英語の複製内容を入力した後に処理装置により中国語に翻訳した模式図及び本考案のカスタマイズ機能を備えた販売機の内部におけるもう一つの実施例の模式図、本考案のカスタマイズ機能を備えた販売機において複製過程また出口から商品を取得した過程が見られるもう一つの実施例の模式図及び本考案において消費者が手でタッチパネルに入力し自由に絵を描きまたは/及び文字を書く実施例の模式図である。本考案のカスタマイズ機能を備えた販売機10は本体12の一つの表面にタッチパネル14が設置されており、消費者がタッチパネル14において購入しようとする異なる色、異なる種類、異なる様式、異なる材質、異なる品目などの商品24などを選択するように提供され、またタッチパネル14において手で触りまたは手で自由に絵を描きまたは/及び手書きで商品24に複製しようとする複製内容を入力する；本体12に別途少なくとも一つの硬貨投入口15が設置されており、紙幣または硬貨を投入することができ、またタッチパネル14の傍に透明窓16が設置されており、その透明窓16はタッチパネル14とともに同じ側に設置されることができ、図1に示すように実施例とタッチパネル14が異なる面に設置されることもでき、消費者は透明窓16をよってて複製商品24の実際の状況を含めて本体12内部の状況を見ることができる。透明窓16の下に取り出し口20が設置されており、複製完了の商品24は取り出し口20から消費者に送り出す（図1、図2、図3及び図5、図6に示すように）。
【００１４】
図2及び図5を参照されたい。本体12に複数の第一槽22、一つの処理装置（図に示されてない）、少なくとも一つの複製装置26及び少なくとも一つのコンベヤーベルト28が設置されており、第一槽22には複数の商品24が保管されるためであり、当該商品24の品目は紡織商品であり、布を例（図2、図3に示すように）にすることができるが、ただしそれにより本考案を制限すべきでなく、当該商品24品目も皮革商品であってもよく、レザーアクセサリーを例（図2または/及び図5に示すように）にし、またはその他の材質、品目の商品24を例にすることができ、保管方法は、それぞれの第一槽22にそれぞれ置かれる異なる色の同じ品目は紡織商品または皮革商品の商品24であってもよく、例えば黒い布の商品、白い布の商品がそれぞれ異なる第一槽22に置かれ、または黒いレザーアクセサリーの商品、白いレザーアクセサリーの商品がそれぞれ異なる第一槽22に置かれる。または品目が紡織商品及び皮革商品である異なる商品24を、それぞれ第一槽22に置き、例えば図2に示しているように、布商品及びレザーアクセサリー商品である商品24はそれぞれ異なる第一槽22に置かれる；第一槽22と複製装置26の間に両者がコンベヤーベルト28により連通されており、コンベヤーベルト28は商品24を複製装置26に送り、複製装置26は本実施例において刺繍機能付き複製装置または/及び烙印機能付き複製装置であるが、ただしそれにより本考案の適用範囲を制限せず、どの第一槽22から商品24が輸送されるかは処理装置により制御され、また複製内容を処理した後に複製装置26に輸送し、複製装置26により商品24において消費者が欲しがる内容が複製され、刺繍機能付き複製装置である複製装置26は複製内容が紡織商品である商品24に刺繍されるように提供され、烙印機能付き複製装置である複製装置26は複製内容が皮革商品である商品24に烙印されるように提供される。当該本体12にはさらに少なくとも一第二槽30が含まれており、それは複数の収納物品32及び少なくとも一つのトレイ36が置かれるためであり、当該第二槽は少なくとも一つのコンベヤーベルトの支線34と接続し、それにより当該収納物品32及び当該トレイ36を当該コンベヤーベルトの支線34に搬送し、複製完了後の商品24はコンベヤーベルト28により一トレイ36に搬送され、トレイ36及び複数の収納物品32は少なくとも一つの第二槽30に置かれ、消費者が商品24を購入する時に、第二槽30は一つのコンベヤーベルトの支線34を通じて収納物品32をトレイ36の所定位置に輸送し、それにより複製完了の商品24を置き、すなわち第二槽30に置かれている収納物品32はコンベヤーベルトの支線34を経由して一部がトレイ36に輸送され、第一槽22の商品24は複製装置26により複製された後、コンベヤーベルト28を経由して一緒にトレイ36に輸送されてから取り出し口20に輸送される。
【００１５】
図1及び図2、図3及び図5、図6及び図7を総合的に見てわかるように、本考案において消費者が硬貨投入口15に紙幣または硬貨を投入した後（図1に示すように）、タッチパネル14に購入しようとする商品24品目、材質、種類、様式、色などを選択しまた手で触り文字または図案を入力するほか、手で自由に描いた絵を入力しまたは/及び手書きで文字を入力することもでき、商品24に複製しようとする内容をタッチパネル14（図7に示すように）に書き、処理装置は消費者が購入しようとする商品24及び入力した複製内容を受信した後に処理を行ない、例を挙げると、複製内容が文字である場合は、処理装置は文字を少なくとも一種類のほかの国の言語に転換する。処理装置は購入しようとする商品24の情報を第一槽22に送信することにより相応しい商品24を出力し、また処理後の複製内容を複製装置26に送信する。コンベヤーベルト28は消費者が購入しようとする商品24を第一槽22から複製装置26に出力し、複製装置26は処理装置から送られてきた資料により、購入しようとする商品26に消費者が入力した複製内容（図2、図3及び図5、図6及び図7に示すように）を複製する；複製完了後、処理装置がコンベヤーベルト28を駆動し商品24を取り出し口20前のトレイ36に搬送し、トレイ36は消費者が受け取るように再びゆっくりと外に向けて商品24を取り出し口20に押し出す（図3、図6に示すように）。トレイ36で外に向けて商品24を押し出す前に、コンベヤーベルトの支線34はさらに第二槽30から一部の収納物品32をトレイ36に輸送し、一緒に消費者に送り出し、その収納物品32は布バッグ、プラスチックボックス、またはプラスチックボックスに布バッグが含まれているものであってよく、ただしそれにより本考案の適用範囲を制限すべきではない。
【００１６】
図3、図6はそれぞれ本考案のスタマイズ機能を備えた販売機において複製過程また出口から商品を取得した過程が見られる模式図、本考案のカスタマイズ機能を備えた販売機において複製過程また出口から商品を取得した過程が見られるもう一つの実施例の模式図であり、図3、図6を参照されたい。本体12に透明窓16が設置されているため、従って透明窓16から本体12内部における複製装置26の動作が見られ、それにより消費者が商品の受け取りを待つ間に製作を複製する過程を鑑賞することができ、本当の複製芸術を楽しむ。複製完了後、トレイ36は下方の取り出し口20から徐々に押出され、トレイ36に当該商品24及び一部の収納物品32が置かれている。本体12にさらに少なくとも一つのバーコード画像18が設置されており、速くバーコード（Quick Response code）または図形化バーコードを読み取るように、それは一次元バーコード、二次元バーコードであってよく、消費者は順序よく並んで順番を待ちたくないなら、スマートフォンを利用してバーコード画像18を読み取った後、スマートフォンに手書きで複製しようとする内容を入力してから、複製内容をインターネットを通じて当該カスタマイズ機能を備えた販売機10のメーカーに送信し、また購入者の名前、住所を記入すれば、当該複製内容を有する商品24を注文することができ、当該メーカーは製作完了の商品24を消費者に送る。
【００１７】
本考案において、消費者は手書きで文字または図案を入力することができ、それと同時に、または文字及び図案を含めてそれについて処理装置により識別を行い、例を挙げると（図4に示すように）、消費者が手書きで「Andy」及び笑顔の図案を入力するとして、処理装置は「Andy」が英語の文字で、笑顔が図形であることを識別することができ、また「Andy」を「安迪」と翻訳し、消費者が選択した商品24が紡織商品であり、例えば布を例にする場合、当該商品は消費者がその上に複製装置26により「Andy」また笑顔の図案を刺繍し、または/及び「安迪」及び笑顔の図案を刺?することを選択し、ただしこれにより本考案の適用範囲を制限すべきでない。消費者が選択した商品24が皮革商品であり、例えばレザーアクセサリーを例にすれば、商品24の一つの面に「Andy」及び笑顔の図案を烙印し、または同じ面またはもう一つの面に「安迪」及び笑顔の図案を烙印し、ただしまたこれにより本考案の適用範囲を制限すべきでない。本考案のカスタマイズ機能を備えた販売機10を景勝地または観光名所に設置し、商品24または収納物品32に相応しい図案を組み合わせ、さらに消費者の専属の複製内容を加えれば、ユニークでまた記念価値を持つ記念品になり、例を挙げると、カスタマイズ機能を備えた販売機10を碧潭に設置するとして、そのなかの商品24は布、レザーアクセサリーにはいずれも極めて識別効果を持つ吊り橋の図案があり、また「碧潭」という二つの文字が書いてある。台北中正記念堂に設置される場合には、商品24に中正記念堂の建築の図案が設けられ、さらに消費者の中国語、英語の名前を加えれば、それは消費者がここに遊びに来ていたという個人化の旅行記念品を表し、それは極めて意義のあることである。
【００１８】
図7に示しているのは、本考案において消費者が手でタッチパネルに入力し自由に絵を描きまたは/及び文字を書く実施例の模式図であり、合わせてそれを参照してください。本考案が提供したカスタマイズ機能を備えた販売機10は商品をカスタマイズすることが可能であり、カスタマイズ機能を備えた販売機10の本体12にタッチパネル14が設置されており、消費者が手書きでタッチパネル14に触り文字または図案を入力するほか、手で入力してタッチパネル14に自由に絵を描きまたは/及び手書きで文字を入力し内容を複製した後に、本体12内部の複製装置26を利用してその場で直ちに商品24において複製を行い、また本体12にさらに透明窓16が設置され、それにより消費者は商品24における複製過程を鑑賞することができ、それにより消費者は待っている間に芸術の雰囲気を存分に味わうことができ、景勝地、観光名所などに合わせれば、カスタマイズ化した複製内容が彫刻された商品24に異なる風景の図案を組み合わせれば、それは極めて記念価値のある旅行記念品となる。
【００１９】
前記内容を総合的に見てわかるように、本考案は従来的技術の限界を乗り越えた点で、確かに従来の技術を乗り越えようとする効果を達成し、また当業者が容易に想到できるものではなく、また、本考案は申請する前に開示したことがなく、進歩性、実用性を持ち、それは実用新案申請の要件に合致することが明らかであり、ここで法により実用新案申請を提出し、本件の実用新案登録出願について許可されることにより、考案を奨励し、利便性を高めて頂くよう、貴庁に要望する。
【００２０】
以上に述べた実施例は本考案の技術思想及び特徴を説明したにすぎず、その目的は当業者が本考案の内容を理解しまたそれにより実施することであり、それを以って本考案の実用新案登録請求の範囲を制限すべきでなく、すなわちすべて本考案が掲示する精神により行なった均等な変化または修飾は、本考案の実用新案権の範囲に含まれていなければならない。
【符号の説明】
【００２１】
10…カスタマイズ機能を備えた販売機 
12…本体 
14…タッチパネル 
15…硬貨投入口 
16…透明窓 
18…バーコード画像 
20…取り出し口 
22…第一槽 
24…商品 
26…複製装置 
28…コンベヤーベルト 
30…第二槽 
32…収納物品 
34…コンベヤーベルトの支線 
36…トレイ
【図１】
0003226554.tif 000003
【図２】
0003226554.tif 000004
【図３】
0003226554.tif 000005
【図４】
0003226554.tif 000006
【図５】
0003226554.tif 000007
【図６】
0003226554.tif 000008
【図７】
0003226554.tif 000009
【手続補正書】
【提出日】令和2年4月6日(2020.4.6)
【手続補正１】
【補正対象書類名】実用新案登録請求の範囲
【補正対象項目名】全文
【補正方法】変更
【補正の内容】
【実用新案登録請求の範囲】
【請求項１】
その内に複数の第一槽が設置されており、複数の第一槽にそれぞれ複数の商品が保存されており、当該商品は紡織商品または/及び皮革商品である本体と、
当該本体の表面に設置され、それにより消費者が少なくとも一種類の商品を購入しまた複製内容を入力するタッチパネルと、
当該消費者が購入しようとする当該商品及び入力した当該複製内容を受信して処理を行なう処理装置と、
当該本体の内部に設置され且つ当該処理装置に電気的に接続され、当該複製装置は刺繍機能付き複製装置または/及び烙印機能付き複製装置であり、当該消費者が入力した当該複製内容により購入しようとする当該商品に複製を行い、当該刺繍機能付き複製装置は紡織商品である商品に複製内容を刺繍するように提供し、当該烙印機能付き複製装置は皮革商品である商品に複製内容を烙印するように提供する複製装置と、 
本体の内部に設置されており、且つ処理装置に電気的に接続されており、当該消費者が購入しようとする当該商品を複製装置に搬送し、複製が完了した後、当該処理装置で当該コンベヤーベルトを駆動し、それにより当該商品を当該消費者が受け取るように出口まで搬送する、少なくとも一コンベヤーベルトと、を含むことを特徴とするカスタマイズ機能を備えた販売機。
【請求項２】
当該本体の表面にさらに透明窓が設置され、それにより当該複製装置が購入しようとする当該商品を複製する過程が表示されることを特徴とする請求項1に記載のカスタマイズ機能を備えた販売機。
【請求項３】
当該複製内容は手書きでパネルに触り、文字または図案を入力することを特徴とする請求項1に記載のカスタマイズ機能を備えた販売機。
【請求項４】
当該複製内容が文字である場合は、当該処理装置は当該文字を少なくとも一種類のほかの国の言語に転換することを特徴とする請求項1に記載のカスタマイズ機能を備えた販売機。
【請求項５】
当該本体にさらに少なくとも一つの第二槽が含まれており、それにより複数の収納物品及び少なくとも一つのトレイが置かれることを特徴とする請求項1に記載のカスタマイズ機能を備えた販売機。
【請求項６】
当該第二槽は少なくとも一つのコンベヤーベルトの支線と接続され、それにより当該収納物品及び当該トレイが当該コンベヤーベルトに搬送され、且つ当該収納物品及び複製完了の当該商品が当該トレイに置かれ、当該取り出し口に搬送されることを特徴とする請求項5に記載のカスタマイズ機能を備えた販売機。
【請求項７】
当該本体の外に硬貨投入口が設置され、それにより紙幣または硬貨が投入されることを特徴とする請求項1に記載のカスタマイズ機能を備えた販売機。
【請求項８】
当該本体の外にさらにバーコード画像が含まれており、それにより当該消費者がスマートフォンを利用してそれを読み取った後、当該スマートフォンに手書きで当該複製内容を入力し、インターネットにおいて当該カスタマイズ機能を備えた販売機の一メーカーに当該複製内容を持つ当該商品を注文することを特徴とする請求項1に記載のカスタマイズ機能を備えた販売機。
【請求項９】
当該バーコード画像は一次元バーコード、二次元バーコードであり、速くバーコード（Quick Response code）または図形化バーコードを読み取ることを特徴とする請求項8に記載のカスタマイズ機能を備えた販売機。
【請求項１０】
当該複製内容は手書きで自由に絵を描きまたは/及び手書きで文字を書くことを特徴とする請求項1に記載のカスタマイズ機能を備えた販売機。
【手続補正２】
【補正対象書類名】明細書
【補正対象項目名】０００３
【補正方法】変更
【補正の内容】
【０００３】
現在、市場ではカメラ付販売機があるが、消費者の写真を撮影した後、刃物による彫刻またはレーザーエッチングの方法で記念品に消費者の頭部写真が形成されるが、ただし光線、カメラの画素、消費者の動き如何により撮影の品質に影響し、さらに彫刻図案の歪みをもたらし、またすべての人は記念品に個人の頭部写真があることを好むわけではなく、また従来品は材質や品目が柔らかい紡織商品（例えば:布）、または材質や品目が堅い皮革商品（例えば:レザーアクセサリー）に適用することができず、さらに刺繍または烙印により図案を商品に複製することもできず、また従来品の商品における複製された図案はいずれもパターン化また標準化されており、消費者の好みにより選択または考案することができず、それはカスタマイズすることができずまたカスタマイズ図案を商品に複製することもできないため、実用性が低く、それは業者及び消費者にとって改善してほしいところである。
【手続補正３】
【補正対象書類名】明細書
【補正対象項目名】０００７
【補正方法】変更
【補正の内容】
【０００７】
本考案のさらなる目的は、カスタマイズ機能を備えた販売機提供することであって、商品は紡織商品または/及び皮革商品、また複製装置によりカスタマイズされた刺繍または/及びカスタマイズされた烙印を達成させる複製内容を複製する。
【手続補正４】
【補正対象書類名】明細書
【補正対象項目名】０００８
【補正方法】変更
【補正の内容】
【０００８】
本考案において解決しようとする問題は、一般的には従来の販売機はいずれも飲料、おやつなどの食べ物を販売し、一部の有名な観光名所において記念品商店を除き、記念品販売機、例えばキーホルダー、記念貨幣などが販売され、それにより消費者は商店内で人混みのなかでも記念品を購入することができるが、ただしこれらの記念品の大部分はいずれも行ったことがある場所だけを記念することができ、行ったことがある観光客であればそれを購入することができ、記念の意味を持つようになるが、ユニークではない；カメラ付販売機であるが、ただし光線、カメラの画素、消費者の動き如何により撮影の品質に影響し、さらに彫刻図案の歪みをもたらし、またすべての人は記念品に個人の頭部写真があることを好むわけではなく、また従来品は材質や品目が柔らかい紡織商品、または材質や品目が堅い皮革商品に適用することができず、さらに刺繍または烙印により図案を商品に複製することもできず、また従来品の商品に複製された図案はいずれもパターン化また標準化されおり、消費者の好みにより選択または考案することができず、それによりカスタマイズすることができずまたカスタマイズ図案を商品に複製することもできないため、実用性が低くなる。
【手続補正５】
【補正対象書類名】明細書
【補正対象項目名】００１７
【補正方法】変更
【補正の内容】
【００１７】
本考案において、消費者は手書きで文字または図案を入力することができ、それと同時に、または文字及び図案を含めてそれについて処理装置により識別を行い、例を挙げると（図4に示すように）、消費者が手書きで「Andy」及び笑顔の図案を入力するとして、処理装置は「Andy」が英語の文字で、笑顔が図形であることを識別することができ、また「Andy」を「安迪」と翻訳し、消費者が選択した商品24が紡織商品であり、例えば布を例にする場合、当該商品は消費者がその上に複製装置26により「Andy」また笑顔の図案を刺繍し、または/及び「安迪」及び笑顔の図案を刺繍することを選択し、ただしこれにより本考案の適用範囲を制限すべきでない。消費者が選択した商品24が皮革商品であり、例えばレザーアクセサリーを例にすれば、商品24の一つの面に「Andy」及び笑顔の図案を烙印し、または同じ面またはもう一つの面に「安迪」及び笑顔の図案を烙印し、ただしまたこれにより本考案の適用範囲を制限すべきでない。本考案のカスタマイズ機能を備えた販売機10を景勝地または観光名所に設置し、商品24または収納物品32に相応しい図案を組み合わせ、さらに消費者の専属の複製内容を加えれば、ユニークでまた記念価値を持つ記念品になり、例を挙げると、カスタマイズ機能を備えた販売機10を碧潭に設置するとして、そのなかの商品24は布、レザーアクセサリーにはいずれも極めて識別効果を持つ吊り橋の図案があり、また「碧潭」という二つの文字が書いてある。台北中正記念堂に設置される場合には、商品24に中正記念堂の建築の図案が設けられ、さらに消費者の中国語、英語の名前を加えれば、それは消費者がここに遊びに来ていたという個人化の旅行記念品を表し、それは極めて意義のあることである。